(57)【特許請求の範囲】
【請求項１】
垂直方向及び水平方向に沿って複数配列され、受光した光に応じて３原色の色情報を取得する画素と、ゲートパルスの入力に応じて開閉動作し、各画素において取得された色情報の垂直転送路への転送を制御する転送ゲートとを備え、前記３原色の色情報に対応する画素が隣接する水平方向の２行に分けて設けられた固体撮像素子と、
前記固体撮像素子の受光面に被写体像を結像させる撮影光学系と、
前記固体撮像素子を駆動し、該固体撮像素子から前記色情報を読み出すタイミング発生器であって、低解像度の画像信号作成時には複数行ごとに、前記隣接する２行の画素の色情報を間引いて読み出すためのゲートパルスを前記転送ゲートに印加するタイミング発生器と、
前記固体撮像素子から読み出された前記隣接する２行の画素の色情報から３原色の色情報を含む出力用の画像信号を１行分作成して出力する信号処理手段であって、前記低解像度の画像信号作成時に前記間引かれた行の画素の色情報を補間する補間演算手段を有し、前記固体撮像素子から読み出された前記隣接する２行の画素の色情報及び前記補間演算手段により補間された色情報から３原色の色情報を含む出力用の画像信号を作成して出力する信号処理手段と、
を備えたことを特徴とする撮像装置。
【請求項２】
前記タイミング発生器は、少なくとも高解像度の画像信号作成時には垂直方向の全ての行の色情報を間引かずに垂直転送路に転送するためのゲートパルスを前記転送ゲートに印加することを特徴とする請求項１記載の撮像装置。
【請求項３】
前記タイミング発生器は、少なくとも高解像度の画像信号作成時には垂直方向の全ての行の色情報を複数のフィールドに分けて垂直転送路に転送するためのゲートパルスを前記転送ゲートに印加することを特徴とする請求項１又は２記載の撮像装置。
【請求項４】
前記信号処理手段は、低解像度の画像信号作成時に水平方向の色情報を間引いて画像信号を作成することを特徴とする請求項１から３のいずれか１項記載の撮像装置。
【請求項５】
前記低解像度の画像信号に基づいて撮影した画像を表示する表示手段を有することを特徴とする請求項１から４のいずれか１項記載の撮像装置。
【請求項６】
前記高解像度の画像信号を記録媒体に記録する記録手段を有することを特徴とする請求項１から５のいずれか１項記載の撮像装置。
【請求項７】
前記補間演算手段は、前記色情報をその平均値を用いて補間することを特徴とする請求項１から６のいずれか１項記載の撮像装置。
【請求項８】
垂直方向及び水平方向に沿って複数配列され、受光した光に応じて３原色の色情報を取得する画素と、ゲートパルスの入力に応じて開閉動作し、各画素において取得された色情報の垂直転送路への転送を制御する転送ゲートとを備え、前記３原色の色情報に対応する画素が隣接する水平方向の２行に分けて設けられた固体撮像素子を駆動して、該固体撮像素子から前記色情報を読み出す工程であって、低解像度の画像信号作成時には複数行ごとに、前記隣接する２行の画素の色情報を間引いて読み出すためのゲートパルスを前記転送ゲートに印加する色情報読み出し工程と、
前記固体撮像素子から読み出された前記隣接する２行の画素の色情報から３原色の色情報を含む出力用の画像信号を１行分作成して出力する信号処理工程であって、前記低解像度の画像信号作成時に前記間引かれた行の画素の色情報を補間し、前記固体撮像素子から読み出された前記隣接する２行の画素の色情報及び前記補間演算手段により補間された色情報から３原色の色情報を含む出力用の画像信号を作成して出力する信号処理工程と、
を備えたことを特徴とする画像出力方法。
【請求項９】
前記色情報読み出し工程では、少なくとも高解像度の画像信号作成時には垂直方向の全ての行の色情報を間引かずに垂直転送路に転送するためのゲートパルスを前記転送ゲートに印加することを特徴とする請求項８記載の画像出力方法。
【請求項１０】
前記色情報読み出し工程では、少なくとも高解像度の画像信号作成時には垂直方向の全ての行の色情報を複数のフィールドに分けて垂直転送路に転送するためのゲートパルスを前記転送ゲートに印加することを特徴とする請求項８又は９記載の画像出力方法。
【請求項１１】
前記信号処理工程では、低解像度の画像信号作成時に水平方向の色情報を間引いて画像信号を作成することを特徴とする請求項８から１０のいずれか１項記載の画像出力方法。
【請求項１２】
前記低解像度の画像信号に基づいて撮影した画像を表示する表示工程を有することを特徴とする請求項８から１１のいずれか１項記載の画像出力方法。
【請求項１３】
前記高解像度の画像信号を記録媒体に記録する記録工程を有することを特徴とする請求項８から１２のいずれか１項記載の画像出力方法。
【発明の詳細な説明】
【０００１】
【発明の属する技術分野】
本発明は、被写体をＣＣＤ（固体撮像素子）で撮像して半導体メモリーカード等の記憶手段に高解像度の画像信号を記憶する撮像装置及び画像出力方法に係り、特に色情報が複数の行に分かれているＣＣＤからのデータを間引いて転送する撮像装置及び画像出力方法に関する。
【０００２】
【従来の技術】
近年では撮影画像の分解能向上の目的からＣＣＤの画素数が急激に増加している。ＣＣＤの画素数の増加に伴って、撮影時の画像を連続して表示手段に表示する際に、ＣＣＤからの画像データ量が多すぎて処理時間がかかり、フレームレート（表示画面の更新周期）が遅くなってしまうという不具合が発生していた。この不具合を軽減するために、ＧストライプＲＢ完全市松色フィルタ配列や、ＲＧＢストライプ色フィルタ配列の高解像度ＣＣＤから得られる高解像度の画像信号を間引いて低解像度の画像信号に変換して表示する電子カメラが、特開平７−３１２７１４号の公報に示されている。
【０００３】
【発明が解決しようとする課題】
しかしながら、従来の特開平７−３１２７１４号の公報に示されている電子カメラでは、１行の画像データから全ての色情報が得られる色フィルタの配列（ＧストライプＲＢ完全市松色フィルタ配列や、ＲＧＢストライプ色フィルタ配列）の高解像度ＣＣＤについては有効であるが、ベイヤー配列と呼ばれる２行のデータによって初めて全ての色情報を得ることができる色フィルタ配列のＣＣＤの場合、間引きの間隔が広がるにつれて偽色が発生しやすくなりモニタ表示画面の画質が低下して見づらい画像となってしまっていた。
【０００４】
例えば、図６に示すようなベイヤー配列の光電変換素子１４０を持つＣＣＤ１１２から出力されるデータを間引く場合において、１行目の画素データと隣接する２行目の画素データから第１行目のモニタ出力を行い、次の３行目〜８行目の画素データは間引きを行って削除し、前記２行目の画素データと隣接しない次の９行目の画素データから第２行目のモニタ出力を行い、前記９行目の画素データと隣接する１０行目の画素データから第３行目のモニタ出力を順次行う間引き方をすると、第１行目のモニタ出力と、第３行目のモニタ出力は隣合った画素からＲ、Ｇ、Ｂ信号を生成しているので正しい画像データが得られるので問題ないが、第２行目のモニタ出力は隣接しない画素からＲ、Ｇ、Ｂ信号を生成しているので、偽色が発生して見づらいモニタ画面となってしまう。
【０００５】
本発明はこのような事情に鑑みてなされたもので、高解像度の固体撮像素子を備えた撮像装置において、フレームレートを高速に維持するとともに偽色が発生しない間引いた画像信号を得ることが可能な撮像装置及び画像出力方法を提供することを目的としている。
【０００６】
【課題を解決する為の手段】
前記目的を達成するために請求項１に記載の撮像装置は、垂直方向及び水平方向に沿って複数配列され、受光した光に応じて３原色の色情報を取得する画素と、ゲートパルスの入力に応じて開閉動作し、各画素において取得された色情報の垂直転送路への転送を制御する転送ゲートとを備え、前記３原色の色情報に対応する画素が隣接する水平方向の２行に分けて設けられた固体撮像素子と、前記固体撮像素子の受光面に被写体像を結像させる撮影光学系と、前記固体撮像素子を駆動し、該固体撮像素子から前記色情報を読み出すタイミング発生器であって、低解像度の画像信号作成時には複数行ごとに、前記隣接する２行の画素の色情報を間引いて読み出すためのゲートパルスを前記転送ゲートに印加するタイミング発生器と、前記固体撮像素子から読み出された前記隣接する２行の画素の色情報から３原色の色情報を含む出力用の画像信号を１行分作成して出力する信号処理手段であって、前記低解像度の画像信号作成時に前記間引かれた行の画素の色情報を補間する補間演算手段を有し、前記固体撮像素子から読み出された前記隣接する２行の画素の色情報及び前記補間演算手段により補間された色情報から３原色の色情報を含む出力用の画像信号を作成して出力する信号処理手段とを備えたことを特徴とする。
【０００７】
本発明によれば固体撮像素子は、低解像度の画像信号作成時には複数行の間隔を空けて前記隣接する２行の画素情報のみを垂直転送路に転送するためのゲートパルスが印加される転送ゲートを備えたので、フレームレートを高速に維持するとともに偽色が発生しない間引いた画像信号を得ることが可能となる。
【０００８】
請求項２に係る発明は、請求項１記載の撮像装置において、前記タイミング発生器は、少なくとも高解像度の画像信号作成時には垂直方向の全ての行の色情報を間引かずに垂直転送路に転送するためのゲートパルスを前記転送ゲートに印加することを特徴とする。
請求項３に係る発明は、請求項１又は２記載の撮像装置において、前記タイミング発生器は、少なくとも高解像度の画像信号作成時には垂直方向の全ての行の色情報を複数のフィールドに分けて垂直転送路に転送するためのゲートパルスを前記転送ゲートに印加することを特徴とする。
請求項４に係る発明は、請求項１から３記載の撮像装置において、前記信号処理手段は、低解像度の画像信号作成時に水平方向の色情報を間引いて画像信号を作成することを特徴とする。
請求項５に係る発明は、請求項１から４記載の撮像装置において、前記低解像度の画像信号に基づいて撮影した画像を表示する表示手段を有することを特徴とする。
請求項６に係る発明は、請求項１から５記載の撮像装置において、前記高解像度の画像信号を記録媒体に記録する記録手段を有することを特徴とする。
請求項７に係る発明は、請求項１から６記載の撮像装置において、前記補間演算手段は、前記色情報をその平均値を用いて補間することを特徴とする。
請求項８に係る画像出力方法は、垂直方向及び水平方向に沿って複数配列され、受光した光に応じて３原色の色情報を取得する画素と、ゲートパルスの入力に応じて開閉動作し、各画素において取得された色情報の垂直転送路への転送を制御する転送ゲートとを備え、前記３原色の色情報に対応する画素が隣接する水平方向の２行に分けて設けられた固体撮像素子を駆動して、該固体撮像素子から前記色情報を読み出す工程であって、低解像度の画像信号作成時には複数行ごとに、前記隣接する２行の画素の色情報を間引いて読み出すためのゲートパルスを前記転送ゲートに印加する色情報読み出し工程と、前記固体撮像素子から読み出された前記隣接する２行の画素の色情報から３原色の色情報を含む出力用の画像信号を１行分作成して出力する信号処理工程であって、前記低解像度の画像信号作成時に前記間引かれた行の画素の色情報を補間し、前記固体撮像素子から読み出された前記隣接する２行の画素の色情報及び前記補間演算手段により補間された色情報から３原色の色情報を含む出力用の画像信号を作成して出力する信号処理工程とを備えたことを特徴とする。
請求項９に係る発明は、請求項８記載の画像出力方法において、前記色情報読み出し工程では、少なくとも高解像度の画像信号作成時には垂直方向の全ての行の色情報を間引かずに垂直転送路に転送するためのゲートパルスを前記転送ゲートに印加することを特徴とする。
請求項１０に係る発明は、請求項８又は９記載の画像出力方法において、前記色情報読み出し工程では、少なくとも高解像度の画像信号作成時には垂直方向の全ての行の色情報を複数のフィールドに分けて垂直転送路に転送するためのゲートパルスを前記転送ゲートに印加することを特徴とする。
請求項１１に係る発明は、請求項８から１０記載の画像出力方法において、前記信号処理工程では、低解像度の画像信号作成時に水平方向の色情報を間引いて画像信号を作成することを特徴とする。
請求項１２に係る発明は、請求項８から１１記載の画像出力方法において、前記低解像度の画像信号に基づいて撮影した画像を表示する表示工程を有することを特徴とする。
請求項１３に係る発明は、請求項８から１２記載の画像出力方法において、前記高解像度の画像信号を記録媒体に記録する記録工程を有することを特徴とする。
【０００９】
本発明に係る撮像装置によれば、フレームレートを高速に維持するとともに偽色が発生しない間引いた画像信号を得ることが可能となる。
【００１０】
【発明の実施の形態】
以下添付図面に従って本発明に係る撮像装置及び画像出力方法の好ましい実施の形態について詳説する。
【００１１】
図１は本発明に係る撮像装置の実施の形態を示す構成図である。
【００１２】
同図によれば、撮像装置の一形態である電子カメラ１０は、被写体像をＣＣＤ１２に結像するレンズ１４と、ＣＣＤ１２に到達する光量を調節する絞り１６と、被写体像がＣＣＤ１２に結像する位置を調節するレンズ駆動部１８と、レンズ駆動部１８の制御、撮像信号の処理等、電子カメラ１０の制御全般の制御を司るシステム制御部２０と、ＣＣＤ１２及びシステム制御部２０を同期駆動するために画像データの間引き率、フレームレートや画素数を制御するタイミング信号を送出するタイミング発生器２２とを備えている。また、撮影画像データのシャープネス補正、ガンマ補正、コントラスト補正、ホワイトバランス補正、ＹＣ変換、データの圧縮等の処理を行う信号処理手段２４と、撮影した画像を記録する記録手段２６と、処理した画像データを表示又は外部に出力する表示・出力手段２８と、撮影した画像データを一時的に記憶するメモリ３０とを備えている。
【００１３】
上記のように構成された電子カメラ１０の動作を以下に説明する。
【００１４】
撮影者が電子カメラ１０のモードを撮影のモードに設定すると、ＣＣＤ１２に結像した被写体像のデータは、表示に適したフレームレートとデータ量に間引きされて、信号処理手段２４を介して表示手段に逐次表示される。
【００１５】
そして撮影者は、電子カメラ１０を撮影する被写体に向けて表示手段に表示されている撮影画像を見ながら被写体に対するアングル、焦点、露出状態を決定したのちに図示しないレリーズボタンを押して撮影する。
【００１６】
するとＣＣＤ１２に結像して表示されていた被写体の画像は、予め設定されているフレームレート、画素数で記録手段２６に記録される。
【００１７】
以下に、表示する画像データを間引く方法について説明する。
【００１８】
図２は、隣接した２つの行に色情報が分かれているフィルタ配列を持つＣＣＤにおける高解像度の画像信号の取得方法と撮像方法を示す図である。
【００１９】
同図によれば、ＣＣＤ１２の行番号１＋２ｎ行（ｎ＝１，２，３…）には、Ｒ、Ｇ、Ｒ、Ｇのフィルタ配列を持つ光電変換素子４０、４０…と、行番号２＋２ｎ行にはＧ、Ｂ、Ｇ、Ｂのフィルタ配列を持つ光電変換素子４０、４０…との組み合わせが、行番号３、４、５…と続いて構成されている。
【００２０】
この各光電変換素子４０、４０…は受光した光を電荷に変換し、ここで蓄積した電荷は各々の光電変換素子４０、４０…に隣接して設けられている転送ゲート４２、４２…を介して垂直転送路４４、４４…に転送される。該転送ゲート４２、４２…は、ゲートパルスＴＧｎの指令によって一般的には各行ごとに開閉動作を行う。
【００２１】
さらに、各垂直転送路４４、４４…において各光電変換素子４０、４０…で得られた電荷は、垂直転送パルスΦＶ１〜ΦＶ４の信号によって順次図２の下方へ転送される。各垂直転送路４４、４４…の一端には水平転送路４６が接続されており、垂直転送路４４、４４…から転送されてきた電荷は水平転送パルスΦＨ１〜ΦＨ４の信号によって順次図２の左方向へ転送されてＣＣＤ１２から出力される。
【００２２】
なお、一般には、前記ゲートパルスＴＧｎと前記垂直転送パルスΦＶ１〜ΦＶ４の指令を与えるには同一の信号ラインを用いている。例えば信号ラインに正の電圧を印加すると転送ゲート４２、４２…の開動作を行い０（Ｖｏｌｔ）以下では転送ゲート４２、４２…は閉動作となるようにＣＣＤ１２の電極を構成しておく。これとともに、信号ラインに負の電圧を印加すると垂直転送路４４、４４、…のゲートを制御して光電変換して得られた電荷を転送するようにＣＣＤ１２の電極を構成しておく。このようにゲートを構成することにより、ＣＣＤ１２の制御線の本数を必要最小限に減らして、コンパクトで且つ制御を容易にすることが可能となる。
【００２３】
上記のように構成されたＣＣＤ１２の動作について以下に説明する。
【００２４】
転送ゲート４２、４２…が閉じている場合においては、各光電変換素子４０、４０…では受光した光量に応じて電荷が蓄積される。各光電変換素子４０、４０…から電荷を出力する際には、電荷を出力する光電変換素子４０、４０…に隣接して設けられている転送ゲート４２、４２…をゲートパルスＴＧｎのタイミングで開いて、蓄積された電荷を垂直転送路４４、４４…に出力する。図２の例では、ゲートパルスＴＧ１〜ＴＧ１６を一斉に与えることによって全ての行のデータを垂直転送路４４、４４…に一斉に出力する動作を行っている。また、蓄積した電荷を２つのフィールドに分けて出力する場合には、１行おきのデータが垂直転送路４４、４４に出力される。
【００２５】
垂直転送路４４、４４…に転送された電荷は、垂直転送パルスΦＶ１〜ΦＶ４の信号によって順次図２の下方へ転送される。垂直転送路４４、４４…から転送されてきた電荷は、１行づつ水平転送パルスΦＨ１〜ΦＨ４の信号によって順次図２の左方向へ転送されてＣＣＤ１２から出力される。全てのデータがＣＣＤ１２から出力される場合には、１６行目のＧ、Ｂ、Ｇ、Ｂデータに続いて１５行目のＲ、Ｇ、Ｒ、Ｇデータが順次出力され、最後に２行目のＧ、Ｂ、Ｇ、Ｂデータ、１行目のＲ、Ｇ、Ｒ、Ｇデータが出力される。
【００２６】
また、２つのフィールドに分けて出力する場合には１フィールド目のデータとして１６行、１４行、１２行目のデータが順次出力され、最後に２行目のデータが出力される。次に２フィールド目のデータとして１５行、１３行、１１行目のデータが順次出力され、最後に１行目のデータが出力される。このようにして得られた各フィールドの画像データは、メモリ３０に一時記憶される。信号処理手段２４は、メモリ３０内に記憶されている画像データを読み出して各フィールドの画像データを組み合わせてＲ、Ｇ、Ｂの信号に変換する。
【００２７】
図３は、隣接した２つの行に色情報が分かれているフィルタ配列を持つＣＣＤ画素データを１／４に間引いて低解像度の画像信号として出力する場合の出力方法を示す図である。
【００２８】
図３の例では、ゲートパルスＴＧ１とＴＧ２と、ＴＧ９とＴＧ１０とを同時に与えることによって３〜８行目と、１１〜１６行目のデータを間引く動作を行っている。
【００２９】
このようにして垂直転送路４４、４４…に転送された１行目、２行目、９行目、１０行目の電荷は、垂直転送パルスΦＶ１〜ΦＶ４の信号によって順次図２の下方へ転送される。垂直転送路４４、４４…から転送されてきた電荷は水平転送パルスΦＨ１〜ΦＨ４の信号によって順次図２の左方向へ転送されてＣＣＤ１２から出力される。このようにして、ＣＣＤ１２からは１０行目のＧ、Ｂ、Ｇ、Ｂデータに続いて９行目のＲ、Ｇ、Ｒ、Ｇデータが順次出力され、次に２行目のＧ、Ｂ、Ｇ、Ｂデータ、１行目のＲ、Ｇ、Ｒ、Ｇデータが出力される。
【００３０】
また、間引きされた３〜８行目と、１１〜１６行目の電荷を破棄するために、図示しない掃き出しドレインを、水平転送路４６と反対側の垂直転送路４４、４４…に接続して設けてもよいし、個々の光電変換素子４０、４０…に転送ゲート４２、４２…と同様なオーバーフロードレインを設けて不要な電荷を破棄してもよい。
【００３１】
システム制御部２０は、このようにゲートパルスＴＧｎを制御する指令をタイミング発生器に出力して、画像を記録手段２６に記録する撮影時には全画素を読み出したり、テレビモニタ表示のみの場合には画素を１／２に間引いて読み出し、ＬＣＤモニタ表示のみの場合には画素を１／４に間引いて読み出す等、表示手段の解像度やモードに合わせて読み出し方法が選択される。また、信号処理手段２４もシステム制御部２０にコントロールされ、モードに合わせた信号処理方法が選択される。
【００３２】
上記の説明は、ゲートパルスＴＧｎを個々の行ごとに制御して水平方向の行を間引く装置の説明であるが、垂直方向の画素を間引く場合にも同様に制御して間引いてもよいし、信号処理手段２４にて水平転送路４６から出力された電荷を間引く処理を行ってもよい。
【００３３】
図４に、ベイヤー配列のＣＣＤにおける、モニタ表示データを１／４に間引いて低解像度の画像信号として出力する信号処理の例を示す。
【００３４】
まず、１行目のＲ、Ｇ、Ｒ、Ｇ、Ｒ、Ｇデータと２行目のＧ、Ｂ、Ｇ、Ｂ、Ｇ、Ｂデータから第１行目のモニタ表示Ｒ、Ｇ、Ｂデータを作成する。２行目のＧ、Ｂ、Ｇ、Ｂ、Ｇ、Ｂデータと９行目のＲ、Ｇ、Ｒ、Ｇ、Ｒ、Ｇデータからはモニタ表示データを作成せず、９行目のＲ、Ｇ、Ｒ、Ｇ、Ｒ、Ｇデータと１０行目のＧ、Ｂ、Ｇ、Ｂ、Ｇ、Ｂデータから第２行目のモニタ表示Ｒ、Ｇ、Ｂデータを作成する。このようにして順次隣接する行のみからモニタ出力用のＲ、Ｇ、Ｂデータを作成することにより、画素行の間引きを行っても偽色のない鮮明なモニタ画像を提供することができる。
【００３５】
なお、上記の実施例ではベイヤー配列のＣＣＤを用い、間引く行数を６行とした例で説明したが、本発明はこれに限定するものではなく、システムの構成により間引く行数は適宜変更可能である。
【００３６】
図５にベイヤー配列のＣＣＤにおける、モニタ表示データを１／４に間引いて低解像度の画像信号として出力する信号処理と補間処理の例を示す。
【００３７】
同図によれば、図４に示した１／４に間引く処理を行うとともに、間引いた行間を信号処理手段２４にて平均値等を用いて補間してモニタ表示する方法を示している。このように間引いた部分のデータを補間してモニタ表示することによって、フレームレートを高速に維持しつつ、表示の分解能を向上することが可能となる。
【００３８】
【発明の効果】
以上説明したように本発明に係る固体撮像素子によれば、固体撮像素子は、低解像度の画像信号作成時には複数行の間隔を空けて前記隣接する２行の画素情報のみを垂直転送路に転送するためのゲートパルスが印加される転送ゲートを備えたので、フレームレートを高速に維持するとともに偽色が発生しない間引いた画像信号を得ることが可能となる。
【００３９】
また、他の発明の形態によれば本発明に係る撮像装置は、請求項１、２又は３の固体撮像素子と、前記固体撮像素子の受光面に被写体像を結像させる撮影光学系と、前記固体撮像素子を駆動し、該固体撮像素子から画素情報を読み出すタイミング発生器であって、低解像度の画像信号作成時には複数行の間隔を空けて前記隣接する２行の画素情報のみを垂直転送路に転送するためのゲートパルスを前記転送ゲートに印加するタイミング発生器と、低解像度の画像信号作成時に前記固体撮像素子から読み出された前記隣接する２行の画素情報のみから新たな１行分の画素情報を作成することにより前記画像信号を作成する信号処理手段とを備えたので、撮像装置はフレームレートを高速に維持するとともに偽色が発生しない間引いた画像信号を得ることが可能となる。
【図面の簡単な説明】
【図１】本発明に係る撮像装置の実施の形態を示す構成図
【図２】隣接した２つの行に色情報が分かれているフィルタ配列を持つＣＣＤにおける高解像度の画像信号の取得方法と撮像方法を示す図
【図３】隣接した２つの行に色情報が分かれているフィルタ配列を持つＣＣＤ画素データを、１／４に間引きして低解像度の画像信号として出力する場合の出力方法を示す図
【図４】ベイヤー配列のＣＣＤにおける、モニタ表示データを１／４に間引いて低解像度の撮像信号として出力する信号処理例を示す図
【図５】ベイヤー配列のＣＣＤにおける、モニタ表示データを１／４に間引いて低解像度の画像信号として出力する信号処理と補間処理例を示す図
【図６】従来のＣＣＤから出力されるデータを間引く方法を示す図
【符号の説明】
１０…電子カメラ、１２…ＣＣＤ、２０…システム制御部、２２…タイミング発生器、２４…信号処理手段、２８…表示・出力手段、４０…光電変換素子、４２…転送ゲート、４４…垂直転送路、４６…水平転送路
【図１】
0004022682.tif 000002
【図２】
0004022682.tif 000003
【図３】
0004022682.tif 000004
【図４】
0004022682.tif 000005
【図５】
0004022682.tif 000006
【図６】
0004022682.tif 000007